(57)【特許請求の範囲】
【請求項１】
床上に起立姿勢で配置される複数の支柱と、対をなす支柱の上端部間に亘って配置される複数の上部横架材とから構成されるフレーム状をなす構造体において用いられるものであって、対をなす上部横架材に亘って配置されるメイン照明支持用横架材を有するメイン照明支持部と、このメイン照明支持部に支持されてその下方領域の略全体を照明するメイン照明器具とを具備してなり、前記メイン照明支持部を、上部横架材の長手方向における配置位置を変更可能に該上部横架材に配置していることを特徴とする照明装置。
【請求項２】
メイン照明支持部を、上部横架材の長手方向に沿って連続的に位置変更可能に配置し得るように構成している請求項１記載の照明装置。
【請求項３】
上部横架材に、その長手方向に沿ってメイン照明支持部を移動可能に支持するレール部を形成し、メイン照明支持部に、前記レール部に案内されて移動可能な可動部を形成している請求項２記載の照明装置。
【請求項４】
可動部がレール部に案内されて上部横架材の長手方向に沿う方向にのみ移動するように、該可動部の移動を規制する移動規制手段を設けている請求項３記載の照明装置。
【請求項５】
上部横架材に対するメイン照明支持部の任意の移動位置を前記配置位置として、該配置位置においてメイン照明支持部を上部横架材に停止させる停止手段を設けている請求項２、３又は４記載の照明装置。
【請求項６】
メイン照明器具を、メイン照明支持用横架材の長手方向に沿って位置変更可能に配置し得るように構成している請求項１、２、３、４又は５記載の照明装置。
【請求項７】
メイン照明支持用横架材の長手方向に沿って、メイン照明器具を支持する支持部を間欠的に形成している請求項６記載の照明装置。
【請求項８】
前記支持部を、メイン照明支持用横架材の長手方向に略等間隔で形成している請求項６記載の照明装置。
【請求項９】
メイン照明支持用横架材が、対向する上部横架材に亘って配置される少なくとも一対のビームと、これらビームに亘って設けられそれらの長手方向に沿って間欠的に配置される複数の桟部材とを具備し、桟部材を前記支持部として利用している請求項７又は８記載の照明装置。
【請求項１０】
メイン照明支持部とメイン照明器具との間に介在し、メイン照明器具を保持し且つメイン照明支持部に支持される保持部材を具備している請求項１、２、３、４、５、６、７、８又は９記載の照明装置。
【請求項１１】
保持部材が、メイン照明器具の配置高さ位置を変更し得る高さ変更手段としての機能を有している請求項１０記載の照明装置。
【請求項１２】
メイン照明支持用横架材に、下方へ開放されメイン照明器具の少なくとも一部を収容し得る凹部を形成している請求項１、２、３、４、５、６、７、８、９、１０又は１１記載の照明装置。
【請求項１３】
メイン照明支持用横架材を、長手方向における側端部と中央部との中間位置で上方へ屈曲又は湾曲する形状とし、該中央部に前記凹部を形成している請求項１２記載の照明装置。
【発明の詳細な説明】
【０００１】
【発明の属する技術分野】
本発明は、支柱及び上部横架材からなるフレーム構造を有する構造体において適用される照明装置に関するものである。
【０００２】
【従来の技術】
オフィス空間等の作業空間において、作業従事者や機器の配置換え等に伴う作業領域のレイアウト構築や変更をフレキシブルに行うために、作業空間を複数の支柱とそれら支柱の上端部間に亘って設けられる上部横架材とからなるフレーム構造を有する構造体により構成したものが、近年採用されるようになってきている。そして、この構造体の内側に、作業従事者が使用するデスクやワゴン、ミーティング用テーブル、機器載置台等の様々なものが配置され、それらが目的とするレイアウトに従って位置変更されるようになっている。
【０００３】
このような作業空間では、スポット的に狭い領域を照明するスポット照明器具がレイアウト変更に対応して支柱等に位置変更可能に設けられることがあるが、作業空間内の全体又は作業空間内の特定の領域を全体的に照明するメイン照明器具は、建築物の天井に取り付けられているのが通例である。
【０００４】
【発明が解決しようとする課題】
ところが、このようなメイン照明器具は天井における定位置に予め配置されたものであるため、スポット照明器具のように配置位置を変更することが容易ではなく、作業空間内のレイアウトによってはメイン照明器具で照明されない領域が生じたり、作業従事者や機器の陰になって光が届きにくい領域が生じる可能性が高い。このため、いかにレイアウト変更への対応が容易なフレーム構造体からなる作業空間であっても、ことメイン照明に関してはレイアウト変更に対応することは極めて困難であるといえる。
【０００５】
そこで本発明は、このような問題に鑑みて、レイアウト変更にメイン照明器具の配置を容易に対応することができるような照明装置の提供を主たる目的とし、さらにはメイン照明器具自体の配置位置を極めてフレキシブルなものとすることをも目的とするものである。
【０００６】
【課題を解決するための手段】
すなわち、本発明の照明装置は、床上に起立姿勢で配置される複数の支柱と、対をなす支柱の上端部間に亘って配置される複数の上部横架材とから構成されるフレーム状をなす構造体において適用されるものであり、対をなす上部横架材に亘って配置されるメイン照明支持用横架材を有するメイン照明支持部と、このメイン照明支持部に支持されてその下方領域の略全体を照明するメイン照明器具とを備え、メイン照明支持部を、上部横架材の長手方向における配置位置を変更可能に該上部横架材に配置したことを特徴としている。
【０００７】
このような構成によると、メイン照明器具は、メイン照明支持部に支持されて上部横架材のいずれかの箇所に配置され、その配置位置を変更することができるので、作業空間のレイアウト変更に伴うデスクやテーブル等の移動に対応して、適切な位置にメイン照明器具を配置し作業空間を好適に照明することが可能となる。
【０００８】
メイン照明器具の配置位置の自由度を特に向上するためには、メイン照明支持部を、上部横架材の長手方向に沿って連続的に位置変更可能に配置し得るように構成するとよい。さらにメイン照明器具を支持しているメイン照明支持部の上部横架材に対する移動を容易なものとするには、上部横架材にその長手方向に沿ってメイン照明支持部を移動可能に支持するレール部を形成する一方、メイン照明支持部に上部横架材のレール部に案内されて移動可能な可動部を形成することが望ましい。この場合、メイン照明支持部の上部横架材に対する適切な移動を確保するためには、可動部がレール部に案内されてメイン照明支持用横架材の長手方向に沿う方向にのみ移動するように、ローラ部の移動を規制する移動規制手段を設けることが有効となる。
【０００９】
そして、メイン照明器具の適切な配置位置が決まれば、その位置にメイン照明器具を留めてその安定性を向上することが好ましく、これを好適に実現するには、上部横架材に対するメイン照明支持部の任意の移動位置をそのメイン照明支持部の配置位置として、この配置位置においてメイン照明支持部を上部横架材に停止させる停止手段を設けるとよい。
【００１０】
一方、メイン照明支持部の上部横架材に対する移動に限らず、メイン照明器具をメイン照明支持部の長手方向に沿って位置変更可能に配置し得るように構成することも、メイン照明器具の配置位置の自由度を向上するには極めて有効である。そのためには、メイン照明支持用横架材の長手方向に沿って、メイン照明器具を支持する支持部を間欠的に形成するとよく、特にメイン照明器具を整然と配置でき、メイン照明支持部の構造の簡素化も図るにためには、支持部を、メイン照明支持用横架材の長手方向に略等間隔で形成好ましい。
【００１１】
このような場合、具体的に好ましいメイン照明支持用横架材の構成としては、対向する上部横架材に亘って配置される少なくとも一対のビームと、これらビームに亘って設けられそれらの長手方向に沿って間欠的に配置される複数の桟部材とを具備し、桟部材をメイン照明器具を支持する支持部として利用したものが挙げられる。このようなメイン照明支持用横架材は、少なくとも一対のビームと複数の桟部材とによって梯子状の形状となるため、作業空間内における作業領域の上方が広く開放され、圧迫感が少なく明るい作業領域を形成することもできる。
【００１２】
また、メイン照明器具の支持の簡素化を図るには、メイン照明支持部とメイン照明器具との間に、メイン照明器具を保持し且つメイン照明支持部に支持される保持部材を配置するとよい。この場合、保持部材に、メイン照明器具の配置高さ位置を変更し得る高さ変更手段としての機能を設けると、メイン照明器具の高さを変更して照明可能な領域の広さを調節したり、作業従事者への圧迫感を取り除くなどの有用性を向上することができる。
【００１３】
特に、メイン照明器具がメイン照明支持部よりも下方へ大きく張り出した状態で配置されると、作業空間を狭めるとともに作業従事者への圧迫感や衝突等の危険性が生じる可能性があるため、このような不具合を排除するためには、メイン照明支持用横架材に、下方へ開放されメイン照明器具の少なくとも一部を収容し得る凹部を形成することが望ましい。このような作用を奏し得るメメイン照明支持用横架材として好ましいものには、長手方向における側端部と中央部との中間位置で上方へ屈曲又は湾曲する形状とし、その中央部に凹部を形成したものが挙げられる。
【００１４】
【発明の実施の形態】
以下、本発明の一実施形態を、図面を参照して説明する。
【００１５】
この実施形態は、図１に示すようなオフィス内に作業空間を形成するいわゆる作業空間モジュールとして利用したフレーム状の構造体（以下、フレーム構造体と称する）Ａに適用される照明装置Ｂである。
【００１６】
まず、構造体Ａは、起立姿勢で配置される複数の支柱１と、略水平方向に延びて隣接する支柱１の上端部間に亘って配置される上部横架材２とを主体として構成され、これら支柱１と上部横架材２とが共に拘束し合って自立性を確保している。そして、これら支柱１と上部横架材２とにより形成される所定空間内に机や椅子等の家具を配置するとともに、当該支柱１及び上部横架材２にパネルＰや天板Ｑやスポット照明器具Ｒ、その他図示しないが吊り棚や配線ダクト等のオプション部材を取り付けることにより作業空間を形成している。また、この構造体Ａは、主として支柱１や上部横架材２に配線案内機能を有するものであり、これら支柱１及び上部横架材２の内部には、図２に示すように、床面下空間或いは天井側空間内に張り巡らされた配線を引き込んで案内し得る連続した配線案内空間が設けてある。そして、このような構造体Ａにおいて、本実施形態の照明装置Ｂは、相互に対向し平行に延びる一対の上部横架材２同士の間に亘って設けられ、その配置位置より下方における作業空間内の領域を照明するようにしている。
【００１７】
以下、各部の具体的な構成について詳述する。
【００１８】
支柱１は、図２に示すように、アルミ等の剛性のある素材からなる押出成形体を所要長さで切断して構成した支柱本体１１と、この支柱本体１１に取り付けたカバー１２とからなる。支柱本体１１は、角柱状の中心体（図示せず）と、この中心体の四隅から斜め外方に向かって延出した４つの隔壁１１１とを有してなり、隣接する隔壁１１１同士の基端部と先端部との間にそれぞれカバー１２を取り付けて、隔壁１１１とカバー１２との間に略鉛直方向に連続した配線案内空間Ｓ１を形成している。そして、隣接するカバー１２間に形成される空隙を通じて隔壁１１１の先端部を露出させ、隔壁１１１の先端部に形成したオプション部材取付部１ｘを利用して、天板Ｑやスポット照明器具Ｒをはじめとする各種オプション部材を取り付け得るようにしている。この支柱１は、下端部側を適宜の手段で床面に固定され、上端部側にアジャスタ機構（図示せず）を介して上下動可能に設けた平面視略Ｌ字形或いは平面視略Ｔ字形の連結部材３を利用して前記横架材２と連結されている。なお、図２では省略しているが、支柱１の上端部には、連結部材３を隠蔽するカバーが取り付けられる。
【００１９】
連結部材３は、前記支柱１の上端部に取り付けられる平面視略正方形状の連結部材本体３１と、この連結部材本体３１から略水平方向に沿って延出した突出部３２とを具備している。そして、本実施形態では、隣接する支柱１において互いに相寄る方向へ突出した前記連結部材３の突出部３２に上方から上部横架材２を嵌合させて取り付けるようにしている。
【００２０】
上部横架材２は、アルミ等の剛性のある素材からなる押出成形材を所要長さで切断して構成したもので、長手方向に沿って等しい横断面を有している。この上部横架材２は、図２、図７及び図９に示すように、頂壁２１と、この頂壁２１から垂下した一対の垂下壁２２とから構成され下方側へ開口する横断面略下向コ字形状のもので、これら頂壁２１及び垂下壁２２により形成される内部空間を配線を案内するための配線案内空間Ｓ２としている。この横架材２は、前述したように、前記連結部材３の突出部３２に上方から嵌合させた後、その頂壁２１及び垂下壁２２に設けたネジ挿入孔から挿入したネジ等の取付具３３を前記突出部３２の対応位置に設けたネジ孔にネジ作用を利用して嵌めることにより所定位置に固定される。なお、図中符号３４で示すものは、前記垂下壁２２に取り付けた取付具３３を外部から目隠しするために設けたカバーである。このカバー３４は、その上下端部に設けた凸部３４ａを前記横架材２の頂壁２１及び垂下壁２２の外面に設けた外側方に開口する凹部２３に係り合わせることにより取り付けられる。なお、カバー３４の内面側と垂下壁２２の外面側、及び頂壁２１の下面側との間に形成される空間も、配線案内空間として利用することができる。
【００２１】
ここで、この上部横架材２を構成する頂壁２１及び垂下壁２２について説明する。まず、頂壁２１には、図７及び図９に詳細に示すように、その両端部及び略中央位置から上方へ突出させたそれぞれ対をなす外起立壁部２４及び内起立壁部２５を形成している。前記外起立壁部２４には、その上端から互いに相寄る方向へ屈曲して延出させた水平突出壁２４ａを形成しており、これら外起立壁部２４ａ、水平突出壁２４及び頂壁２１により形成される上方に開口する溝部２７を、本実施の形態では、天井側に設けた天井側配線空間等から垂下させた配線又は床面から立ち上げ支柱１を介して引き回した配線を案内する配線案内溝として利用し得るようにしている。さらに、一対の内起立壁部２５及び頂壁２１に包囲される部位には、上方へ開口し頂壁２１の長手方向に沿って延びるチャネル状のレール部２６が形成され、このレール部２６によって照明装置Ｂの移動を案内するようにしている。なお、後で詳述するが、前記溝部２７は、レール部２６に移動を案内される照明装置Ｂの蛇行や傾倒を防止して、照明装置Ｂが一定方向へのみ移動するように規制する移動規制手段Ｘの一部を構成するものでもある。また、レール部２６は、照明装置Ｂが有する照明器具４へ配線コード４２（図３及び図５参照）を案内する配線案内溝としても機能する。
【００２２】
一方、垂下壁２２は、前記頂壁２１から対をなして垂下させており、前記連結部材３の突出部３２の外法寸法に略等しい内法寸法で離間する上半部２２ａと、この上半部２２ａよりも若干大きい内法寸法及び外法寸法で離間する下半部２２ｂとから構成される。一対の上半部２２ａ間には、前記連結部材３の突出部３２が側方から挿入、嵌合され、その位置で、適宜この上半部２２ａと突出部３２とをねじ止めすることにより固定することによって、フレーム構造体Ａの骨格構造が形成される。下半部２２ｂは、その内面側から互いに相寄る方向へ突出させた複数の突出壁２７により上下に区画され長手方向に連続開口した凹部２８を上下方向の複数箇所に有してなるとともに、その下端部の外面側に長手方向に連続開口した引っ掛け溝２９を有している。前述した複数の突出壁２７のうち、上下方向に位置する突出壁２７の幾つかには、その突出端側の対向する上下面に長手方向に連続する溝部２７１が設けてあり、この溝部２７１を利用して、前記配線案内空間Ｓ２に収納した配線の脱落を防止するための配線受部材（図示省略）を取り付けるようにしている。なお、このような構成を利用して、図１に示すようなパネルＰを上部横架材２に支持させることもできる。
【００２３】
このような構成の上部横架材２を有するフレーム構造体Ａに対して、本実施形態における照明装置Ｂは、上部横架材２の長手方向に沿って移動可能に設けられるものである。ここで、この照明装置Ｂは、図１、図３及び図５に示すように、フレーム構造体Ａに包囲される作業空間内の所定の領域の略全域を照明するメイン照明器具４と、メイン照明支持部５とを主体として構成される。このメイン照明支持部５はさらに、メイン照明器具４を支持し対向位置にある上部横架材２、２に亘って設けられるメイン照明支持用横架材６、及びこのメイン照明支持用横架材６を上部横架材２の長手方向に沿って移動可能に支持する可動部７を主体として構成される。以下、これら各部について説明する。
【００２４】
まず、メイン照明器具４は、例えば蛍光灯等を備えた通常の照明器具本体４１を有するものであるため、詳細な説明は省略する。なお、ここでは図示例のように、平面視円形状をなす照明器具本体４１を適用しているが、これに限らず市販の種々の照明器具を照明器具本体として適用することができる。特に本実施形態では、この照明器具本体４１に電源を供給するための電源コードとして、連続したコイル状をなし伸縮自在なスパイラル式の電源コード４２を適用している。この電源コード４２は、一端を照明器具本体４１に接続し、他端を支柱１や天井、床に設けた電源コンセントに接続される。ここで、このような電源コード４２を適用したのは、本照明装置Ｂが移動可能なものであるため、所定箇所に固定されている電源コンセントから照明器具本体４１までの距離が変化することから、それに容易に対応する必要があるからである。また、照明器具本体４１の上端部には、メイン照明支持用横架材６に保持させるための取付板４３を固定して設けている。そのために、この取付板４３には、図５に示すように後述する保持ボルト６５３を挿通し得る貫通孔４３１を複数（例えば４つ）設けている。
【００２５】
メイン照明支持部５の構成要素であるメイン照明支持用横架材６は、対向する一対の上部横架材２、２間の距離に略等しい長手寸法を有する一対のビーム６１と、これらビーム６１、６１間に亘って設けられる複数の桟部材６２とを備えた概略梯子状をなすものである。ビーム６１は、上部横架材２、２間距離に対応する長尺な角形鋼管からなるものであり、両側端部から所定距離内寄りの部位を上方へ湾曲させ、さらに内寄りの部位を部分円弧状に湾曲させることにより、長手方向中央部が両側端部よりも高位置に位置付けられるように全体としてアーチ型をなしている。そして、ビーム６１の両側端部を後述する取付金具６４を介して可動部７にそれぞれ支持させている。このように、ビーム６１をアーチ型形状をなすものとしているため、メイン照明支持部５を全体として見た場合、その長手方向中央部には、図１、図４及び図７に示すように、下方へ開放されたアーチ型の凹部５１が形成されることになる。
【００２６】
一方、桟部材６２は、対をなすビーム６１同士の内法間距離に略等しい長手寸法を有する角形鋼管からなるものであり、ビーム６１の長手方向に沿って略定間隔で複数配置している。なお、桟部材６２の幅寸法はビーム６１の幅寸法と略等しく設定してあるが、高さ寸法はビーム６１の高さ寸法よりも若干小さめに設定してある。この桟部材６２をビーム６１に取り付けるために、各桟部材６２の両側端部には、内側にそれぞれ上下一対の取付孔６２２を形成した固定板６２１を溶接等により取り付けており、この取付孔６２２に対応するビーム６１の側面には、取付孔６２２に止着されるタッピングビス６３を挿通させるための貫通孔（図示省略）を形成している。そして、このタッピングビス６３をビーム６１の外側方から前記貫通孔及び取付孔６２２に挿入して止着することにより、桟部材６２をビーム６１に対して固定している。
【００２７】
また、ビーム６１を可動部７に取り付けるための取付金具６４は、一対のビーム６１をそれらの長手方向側端部において連結するものである。具体的にこの取付金具６４は、可動部７に取り付けられ起立姿勢で配置される取付板６４１と、この取付板６４１の内側面に溶接などにより取り付けられて内方に向けて突出する一対の突起６４２から構成される。これら突起６４２は、一対のビーム６１の内部に側端部からそれぞれ挿入される角形鋼管からなる部材である。そして、突起６４２をビーム６１に挿入した位置で固定するために、この突起６４２の長手方向に沿った上壁の二箇所に取付孔６４２ａを形成する一方、それに対応するビーム６１の上壁にビス挿通用の貫通孔６１１を形成し、これら貫通孔６１１及び取付孔６４２ａに上方からビス６４３を挿入して止着するようにしている。なお、取付孔６４２ａの代わりに突起６４２の内壁にナットを固定しておいてもよいし、突起６４２として中実な角柱状の部材を適用する場合には、前記取付孔６４２ａの対応箇所にねじ孔を形成するとよい。一方、取付板６４１は、側面視概略長方形の平板状をなす金属板からなり、少なくとも長手方向両側端部に二箇所、あるいはそれに加えて中央部にさらに一箇所の貫通孔６４１ａを形成している。この貫通孔６４１ａは、可動部７に内側方から取り付ける際に使用される。
【００２８】
このような構成のメイン照明支持用横架材６には、桟部材６２をメイン照明器具４の支持部として機能させており、メイン照明器具４を吊り下げた状態で保持するための保持部材６５を設けている。この保持部材６５は、隣接して対向するいずれか一対の桟部材６２にそれぞれ支持されてメイン照明器具４を保持するものである。したがって、図示例ではビーム６１の長手方向中央部に設けた一対の桟部材６２に対して保持部材６５を保持させた態様を示しているが、それに限らず、何れの一対の桟部材６２に対しても適用することが可能である。具体的に、保持部材６５は、桟部材６２の上面に載置される上部保持金具６５１と、桟部材６２の下面に下方から当接される下部保持金具６５２と、これら上部保持金具６５１及び下部保持金具６５２を、桟部材６２を上下に挟んだ姿勢で連結する保持ボルト６５３とを主体とする。上部保持金具６５１は、板金素材をＬ字形状に折り曲げて水平片６５１ａ及び垂下片６５１ｂを形成したものであり、水平片６５１ａの幅寸法を桟部材６２の幅寸法よりも大きく、また垂下片６５１ｂの高さ寸法を桟部材６２の高さ寸法と略等しく設定している。一方、下部保持金具６５２は、平板状をなす金属製部材であり、その幅寸法を上部保持金具６５１の幅寸法に略対応させている。なお、上部保持金具６５１及び下部保持金具６５２の長手寸法は、桟部材６２の長手寸法よりも若干短く設定してある。また、水平片６５１ａ及び下部保持金具６５２の長手方向両側端部にはそれぞれ一ずつ、保持ボルト挿通用の貫通孔（図示省略）を形成している。保持ボルト６５３は、長尺なねじ軸部６５３ａを有し、メイン照明器具４の取付板４３における貫通孔４３１に対して下方から挿入され、この貫通孔４３１の対応位置に形成した下部保持金具６５２の貫通孔及び水平片６５１ａの貫通孔に下方から挿入されるものである。保持ボルト６５３の頭部６５３ｂは、取付板４３の下面に下方から当接する。そしてその状態で、取付板４３、下部保持金具６５２、及び水平片６５１ａを上下に挟む複数のナット及び座金からなる固定部材６５４をこの保持ボルト６５３のねじ軸部６５３ａに緊締することで、保持部材６５によりメイン照明器具４を吊り下げた状態で保持するように構成している。なお、ねじ軸部６５３ａは、ビーム６１の長手方向中央部に設けた一対の桟部材６２にメイン照明器具４を保持した場合において、取付板４３と下部保持金具６５２との間に相当量の空間が形成される程度に長尺なものである。そして、一対の保持部材６５に保持されたメイン照明器具４の水平な取付状態を実現し得るように、ねじ軸部６５３ａの長手方向に対して取付板４３の高さ調整を可能としている。このような構成のため、前記中央部における一対の桟部材６２以外の桟部材６２によってメイン照明器具４を保持する場合、それら一対の桟部材６２同士の高さ位置が異なっても、保持ボルト６５３のねじ軸部６５３ａの長手方向における取付板４３、下部保持金具６５２、上部保持金具６５１の固定位置を調節することで、メイン照明器具４を水平に維持した状態で保持することができる。
【００２９】
以上のような構成から、このメイン照明支持用横架材６においては、その長手方向すなわちビーム６１の長手方向に沿ってメイン照明器具４の取付位置を変更することができるうえに、保持部材６５はメイン照明器具４の配置高さ位置を変更可能な高さ変更手段として機能することになる。なお、図示例のように、ビーム６１の長手方向中央部に設けた一対の桟部材６２に保持部材６５を介してメイン照明器具４を配置した場合、メイン照明器具４の上端から下方に亘る大部分乃至全体、あるいは少なくとも上端部分は、前記凹部５１内に上方から収容されることになり、メイン照明支持用横架材６よりもメイン照明器具４を下方へ大きく張り出した状態に突出させることなく、上方に広い作業空間を確保することができるとともに、作業者等がメイン照明器具４に衝突するといった不具合を防止し、さらにフレーム構造体Ａの外観をも向上することになる。
【００３０】
一方、可動部７は、ビーム６１の両側端部の外側にそれぞれ配置され、上述したようなメイン照明支持用横架材６を支持しつつ、上部横架材２の長手方向に沿って移動可能なものである。本実施形態において可動部７は、図７、図８及び図９に詳細に示すように、例えば前後一対のローラ部７１と、これらローラ部７１を保持し且つ前記メイン照明支持用横架材６を支持する可動部本体７２と、可動部本体７２に取り付けられローラ部７１を上部横架材２のレール部２６に沿って移動するように当該ローラ部７１の移動を規制する規制部材７３とを主体として構成される。以下、これら各部について説明する。
【００３１】
ローラ部７１は、レール部２６に沿って転動可能な合成樹脂素材又は金属素材からなるローラ７１１と、このローラ７１１を水平軸周りに回転可能に支持する水平支軸７１２と、水平支軸７１２を支持するローラ支持部材７１３と構成される。このローラ支持部材７１３は、頂壁７１３ａ及びその両側端部に垂下する一対の垂下壁７１３ｂからなり、両垂下壁７１３ｂ間に水平支軸７１２を支持するようにしたものである。また、頂壁７１３ａは、次に説明する可動部本体７２の所定箇所に固定されるものである。
【００３２】
可動部本体７２は、板金素材を塑性変形加工することにより頂壁７２１と、頂壁７２１の両側端部に沿って垂下させた一対の側壁７２２とを形成した下方に開口するものであり、側壁７２２の前後端部をそれぞれ対向する側壁７２２間で対面するように内側に折り曲げて左右に対をなす前壁７２３及び後壁７２４をさらに形成したものである。なお、前後方向、左右方向は、いずれを前又は後、左又は右としてもよい。頂壁７２１の前端部側及び後端部側における合計２箇所には、上述したローラ部７１を取り付けるための領域を設定しており、この頂壁７２１及び側壁７２２によって包囲される内部空間にローラ部７１を位置付けて、前記所定の取付領域において頂壁７２１と、ローラ支持部材７１３の頂壁７１３ａとをビス７１４等により固定している。側壁７２２の高さ方向中央部における前端部側、後端部側及び側壁７２２の長手方向に対応する前後方向中央部には、それぞれメイン照明支持用横架材６を取り付けるための取付孔７２２ａを貫通させている。そして、一対の可動部７が対向する側の側壁７２２には、前記取付孔７２２ａに対応する箇所に貫通孔７４１を形成した平板状のスペーサ７４を配置して、このスペーサ７４を挟んで側壁７２２と前記取付金具６４の取付板６４１とをビス７５等により固定するようにしている。すなわち、側壁７２２の取付孔７２２ａとスペーサ７４の貫通孔７４１とは、取付金具６４の取付板６４１に形成した貫通孔６４１ａの対応箇所に形成したものであり、これら貫通孔６４１ａ、７４１、取付孔７２２ａにビーム６１側から挿入したビス７５を取付孔７２２ａに止着することによって、一対の可動部７にメイン照明支持用横架材６を支持させるように構成している。なお、スペーサ７４の高さ寸法は、後述する規制部材７３の可動部本体７２への取付のために、側壁７２２の高さ寸法よりも小さく設定しており、側壁７２２の上端部側に配置される。
【００３３】
また、規制部材７３は、上部横架材２の一対の内起立壁部２５及び頂壁２１に包囲される部位と共に移動規制手段Ｘを構成するものである。ここで、一つの可動部材本体７２には、両側壁７２２に沿って一対の規制部材７３が配置される。具体的に説明すると、これら規制部材７３は、板金素材の塑性変形加工により、可動部本体７２の側壁７２２に沿ってそれぞれ配置される起立片７３１と、起立片７３１の下端部から略水平に外方へ向けて上部横架材２の前記頂壁２１に沿って延出する水平片７３２と、それら起立片７３１及び水平片７３２の前端部及び後端部から可動部本体７２の前壁７２３及び後壁７２４に沿って外側に配置される折り返し片７３３とから構成される。そして、折り返し片７３３の内側に、平板状の目隠し板７５を配置し、これら目隠し板７５、折り返し片７３３、前壁７２３及び後壁７２４をビス７８等により固定することによって、この規制部材７３を可動部本体７２に取り付けている。この状態で、規制部材７３の水平片７３２は、それぞれ対応する上部横架材２のレール部２６の両側部に形成された溝部２７内に延び、且つ水平突出壁２４ａの下方に潜り込んでいるため、可動部本体７２が傾倒しようとした場合に、水平片７２３が水平突出壁２４ａに下方から当接してその傾倒を防止し、ローラ７１１がレール部２６に沿って移動するように、その移動を正規の状態に規制している。
【００３４】
また、この規制部材７３と上部横架材２とに関連づけて、可動部７をメイン照明器具４の所望の配置位置で停止させる停止手段Ｙを形成している。本実施形態では、この停止手段Ｙの構成として、規制部材７３の水平片７３２の一部に貫通させて設けた停止用ボルト７６を、水平片７３２の下面側に配置する係合するナット７７に係合させた状態で、停止用ボルト７６の軸部下端７６ａを上部横架材２の頂壁２１に上方から当接させて、停止用ボルト７６の軸部下端７６ａと頂壁２１との摩擦抵抗により可動部７を所定の位置に固定する、という態様を採用している。
【００３５】
以上のように、本実施形態の照明装置Ｂは、フレーム構造体Ａの上部に配置した状態で、その配置位置を上部横架材２の長手方向に沿って変更することができるため、作業空間内のレイアウト変更に容易に対応して、作業空間内の所定の広い領域をメイン照明器具４によって適切に照明することができる。具体的には、上部横架材２に形成したレール部２６に案内されて連続的に移動可能なローラ７１１を有する可動部７をこの照明装置Ｂに設けていることから、照明装置Ｂの移動が連続的なものとなり、配置位置を自在に設定し又は変更することができる。また、所望の配置位置では、停止手段Ｙによって配置位置を固定することができるので、安定的に配置した位置を維持することができ、さらに移動規制手段Ｘによって可動部７がレール部２６に沿う方向にのみ移動するように構成しているため、照明装置Ｂの的確な移動が可能である。
【００３６】
また、本実施形態では、メイン照明器具４を上部横架材２に沿う方向のみならず、メイン照明器具４を支持するメイン照明支持用横架材６の長手方向に沿って、すなわち一対の上部横架材２の対向方向にも配置位置を変更可能としている。具体的には、メイン照明支持用横架材６を一対のビーム６１とその長手方向に所定間隔で間欠的に設けた桟部材６２とを主体としてなる梯子状をなすものとし、その桟部材をメイン照明器具４の支持部として機能させ、隣接して対をなす任意の桟部材６２によってメイン照明器具４を支持するようにしているので、メイン照明器具４の配置位置を作業空間のレイアウトにフレキシブルに対応させることができる。特に、桟部材６２には、メイン照明器具４の取付高さを変更できる保持部材６５１、６５２及び保持ボルト６５３等からなる保持部材６５を桟部材６２との間に介在させているため、メイン照明器具４の水平な取付状態を簡便に維持することができる。
【００３７】
また、ビーム６１は、下方に開放された凹部５１を形成するようなアーチ型をなすようなものとして、その凹部５１の深さ内にメイン照明器具４の少なくとも上端部側の大部分、あるいはメイン照明器具４の大きさによってはその全部を収容できるようにしていることから、メイン照明器具４がメイン照明支持部５よりも下方へ大きく張り出して突出することがないので、メイン照明器具４への衝突の危険性を排除し、作業空間を広く確保するとともに、外観の見栄えも優れたものとすることができる。また、メイン照明支持用横架材６の梯子状をなす形状及び構造からは、作業空間の上方を広く開放し、圧迫感が生じにくく明るい作業空間を構成することができるという、優れた効果も奏する。さらに、メイン照明支持用横架材６の軽量化も図り、フレーム構造体Ａへの負荷をも低減できる。
【００３８】
なお、本発明は、上述した実施形態に限られるものではない。例えばメイン照明支持用横架材の長さを適宜変更して、対向するいずれの上部横架材にも配置することができる。また、照明装置の移動は、人手で行ってもよいし、リモートコントローラによる遠隔操作により行ってもよい。その他、各部の具体的構成についても上記実施形態に限られるものではなく、本発明の趣旨を逸脱しない範囲で種々変形が可能である。
【００３９】
【発明の効果】
以上に詳述したように、本発明によれば、メイン照明器具をメイン照明支持部に支持させて、フレーム状の構造体を構成する上部横架材のいずれかの箇所を選択して配置することができるため、作業空間のレイアウト変更に伴うデスクやテーブル等の移動に対応した照明装置の配置位置が可能となるので、適切な位置にメイン照明器具を配置し作業空間を好適に照明することが可能となる。このことは、近年、作業空間を構築するためのオフィス構成設備として導入される傾向にあるフレーム状の構造体に適用して最も効果を発揮するものであり、従来の建築天井からのメイン照明をなくし、前記構造体で実現していたレイアウト変更に照明装置のレイアウト変更をも実現するという、新たな付加価値を創生するものである。
【００４０】
特に、メイン照明支持部に可動部を設け、上部横架材をレール部としてそれに沿って連続的に可動部を移動させるように構成したり、上部横架材に沿った方向のみならず、一対の上部横架材の対向方向であるメイン照明支持部に沿った方向にもメイン照明器具の配置位置を変更可能とすることで、上述したレイアウト変更に伴うメイン照明器具の配置位置の自由度を飛躍的に向上することができる。
【図面の簡単な説明】
【図１】本発明の一実施形態をフレーム構造体に適用した全体構成を概略的に示す斜視図。
【図２】同実施形態が適用されるフレーム構造体の一部を示す斜視図。
【図３】同実施形態を示す平面図。
【図４】同実施形態を示す図３におけるａ−ａ線縦断面図。
【図５】同実施形態の長手方向中央部を図４に対応して示す拡大縦断面図。
【図６】同実施形態の長手方向中央部を示す拡大斜視図。
【図７】同実施形態の長手方向一端部を示す拡大斜視図。
【図８】図７に対応する部分分解斜視図。
【図９】同実施形態の長手方向一端部を図４に対応して示す拡大縦断面図。
【符号の説明】
Ａ…構造体（フレーム構造体）
Ｂ…照明器具
Ｘ…移動規制手段
Ｙ…停止手段
１…支柱
２…上部横架材
４…メイン照明器具
５…メイン照明支持部
６…メイン照明支持用横架材
７…可動部
２６…レール部
５１…凹部
６１…ビーム
６２…桟部材、支持部
６５…高さ変更手段（保持部材）
【図１】
0004027717.tif 000002
【図２】
0004027717.tif 000003
【図３】
0004027717.tif 000004
【図４】
0004027717.tif 000005
【図５】
0004027717.tif 000006
【図６】
0004027717.tif 000007
【図７】
0004027717.tif 000008
【図８】
0004027717.tif 000009
【図９】
0004027717.tif 000010